(57)【要約】      （修正有）【課題】かしめや接着などの安価かつ簡易な方法で十分な保持強度が得られる振動モータの回路基板への保持構造およびこの保持構造により回路基板に保持された振動モータを提供する。【解決手段】回転軸１１端に偏心錘１０を取り付けて成る振動モータ本体１を外側から該モータ本体の外周を抱き込むように把持し、さらに該振動モータ本体の径方向外縁位置で回転軸と平行且つ外方に伸びる翼状脚２４ａ，２４ｂを回路基板３の切り欠き空部３１側縁で固定して振動モータを回路基板に保持する保持構造とした。またこのような保持構造を用いて振動モータを回路基板に保持する。【選択図】図１
2008283758.tif 000002
【特許請求の範囲】
【請求項１】
回転軸端に偏心錘を取り付けて成る振動モータを外側から該モータの外周を抱き込むように把持し、さらに該振動モータの径方向外縁位置でモータ軸と平行且つ外方に伸びる翼状脚を回路基板の切り欠き空部側縁で固定して該振動モータを回路基板に保持することを特徴とする振動モータの保持構造。
【請求項２】
１枚の鋼板をプレス加工した後、振動モータを外側から該モータの外周を抱き込むように把持する形状に加工するとともに所定部分を折曲げ加工してモータ軸と平行且つ外方に伸びる翼状脚を形成して成る請求項１に記載の振動モータの保持構造。
【請求項３】
振動モータを弾性的に挟持する請求項１または２に記載の振動モータの保持構造。
【請求項４】
前記翼状脚が回路基板の切り欠き空部側縁で半田により回路基板に固定された請求項１ないし３のいずれか１項に記載の保持構造により回路基板に保持された振動モータ。
【請求項５】
回転軸の両端にそれぞれ偏心錘を取り付け、請求項１ないし４のいずれか１項に記載の保持構造により回路基板に保持された振動モータ。
【請求項６】
前記翼状脚が回路基板の切り欠き空部側縁でリフロー半田により固定された請求項４に記載の振動モータ。
【請求項７】
請求項１ないし３のいずれか１項に記載の保持構造により回路基板に保持された携帯通信機器の振動モータ。
【発明の詳細な説明】
【技術分野】
【０００１】
本発明は携帯電話やＰＨＳなどの携帯通信機器また、ゲーム機器の体感用に使用される振動モータの保持構造および該保持構造を備えた振動モータに関する。
【背景技術】
【０００２】
携帯通信機器は着信があったとき着信音を発して携帯者に知らせる方法のほかに、内部に設けた振動モータの偏心錘の回転による振動を携帯者に体感させて着信を知らせる方法があり、これらは必要に応じて切り替えできるようになっている。
【０００３】
振動モータは通信機器内の回路基板に固定され、発生する振動を機器の筺体に伝えるようになっており、その一例が特許文献１に開示されている。携帯通信機器内に設けられる振動モータは、モータケースの上半部を外側から径方向に据付枠で挟むように締め付けて保持され、据付枠下端の折曲げ脚部を回路基板に形成した切り欠き空部の縁に沿って半田などで固着して回路基板に宙吊り姿勢で固定されている。
【０００４】
偏心錘の回転によるモータの振動時や携帯通信機器をうっかり落としてしまったような場合、このような取り付け方では据付枠による振動モータの保持が十分強固なものとなっていないために、従来は据付枠とモータケースとをスポット溶着するなどの対策が採用されている。
【特許文献１】特開２００５−３１２２８２号公報
【発明の開示】
【発明が解決しようとする課題】
【０００５】
スポット溶着には高価なスポット溶着機が必要になる上、溶着時にスポットかすやバリなどが発生するためその除去が必要になり、かすやバリが残ると回路動作やモータの回転に悪影響を与えるおそれがある。特に、スポット溶着によりモータケースが変形すると、モータの回転に支障をきたすおそれがある。
【０００６】
本発明は上記の課題を解消すべくなされたもので、スポット溶着機のような高価な設備を導入することなく、かしめや接着などの安価かつ簡易な方法で十分な保持強度が得られる振動モータの保持構造およびこの保持構造により回路基板に保持された振動モータを提供することを目的とする。
【課題を解決するための手段】
【０００７】
上記目的を達成するために、回転軸端に偏心錘を取り付けて成る振動モータを外側から該モータの外周を抱き込むように把持し、さらに該振動モータの径方向外縁位置でモータ軸と平行且つ外方に伸びる翼状脚を回路基板の切り欠き空部側縁で固定して振動モータを回路基板に保持するようにした保持構造を提供する。
【０００８】
本発明による保持構造は、１枚の鋼板をプレス加工した後、振動モータを外側からモータの外周を抱き込むように把持する形状に加工するとともに所定部分を折曲げ加工してモータ軸と平行且つ外方に伸びる翼状脚を形成して成るのが好ましい。
【発明の効果】
【０００９】
本発明によれば、回転軸端に偏心錘を取り付けて成る振動モータを外側から該モータの外周を抱き込むように把持し、さらに該振動モータの径方向外縁位置でモータ軸と平行且つ外方に伸びる翼状脚を回路基板の切り欠き空部側縁で固定して振動モータを回路基板に保持するようにしたので、振動モータ全体がしっかり保持される。したがい、モータによる振動発生時や携帯通信機器をうっかり落としてしまったときでも振動モータが回路基板から外れたりする不具合がなく、携帯通信機器の回路動作や機能が不能になることがない。
【００１０】
また振動モータ本体をホルダーに固定保持するのにスポット溶着などの高価な設備や手法によらず、かしめや接着などの簡易且つ安価な手段ですむ。
【００１１】
振動モータ本体を回路基板に保持するのに用いるホルダーは１枚の鋼板からプレス加工および折曲げ加工で容易に製作できるので低コスト化も実現できる。
【発明を実施するための最良の形態】
【００１２】
以下、本発明の実施形態について図面を用いて説明する。
【００１３】
図１は、携帯通信機器の振動発生に用いられる振動モータを回路基板に保持する構造を分解した状態で示す斜視図である。
【００１４】
図１において、１は円筒形状のモータフレームで包んだ振動モータ本体、１０は振動モータ本体１の回転軸１１に固定される振動発生用の偏心錘、２は振動モータ本体１の外周を抱き込むように保持するホルダーであり、振動モータ本体１は偏心錘１０を取り付けた状態で全体を外側からホルダー２で抱き込むように保持されて回路基板３の切り欠き空部３１に納め取り付けられる。振動モータ本体１の後端（図において右奥端）には樹脂製のブラケット１２が固定されており、このブラケット１２には導電材の外付け端子１３が取り付けられ、振動モータ本体のブラシ固定端子がこの外付け端子１３と電気接続されている。
【００１５】
図２は、振動モータ本体を本発明によるホルダー２を用いて回路基板３に取り付けた状態を示す。
【００１６】
ホルダー２は、厚さが０．１ｍｍ〜０．３ｍｍで半田とのなじみのよいめっき処理を施した鋼板（たとえば圧延鋼板ＳＰＣＣ）をプレス加工により図３に示すような形状の素材として加工され、これを折曲げ加工機（不図示）で折曲げ加工して図４に示すような立体形状に製作される。この場合ホルダー２の内径は振動モータ本体１のモータフレームの外径よりやや小さめに製作される。ホルダー材にはすずベースのめっきを使うとコスト上は有利となるが、半田付け性を優先するなら金メッキがよい。またホルダー素材に洋白を用いれば半田とのなじみは良好であるので、めっきは不要となる。
【００１７】
図３に示したホルダー素材を折曲げ加工機で折曲げ加工して図４に示すようなホルダーに加工すると、素材の上方側縁部Ａと下方部側縁部Ｂは対向して密接し、素材の突部Ｆはホルダー２の垂片２１となり、もう１つの小さい突部Ｅはホルダー２の起立片２２となる。垂片２１と起立片２２は振動モータ本体１をこのホルダー２に納めるときの振動モータ本体１のストッパーとして機能する。またホルダー素材の切込み片ＣおよびＤは折曲げ加工後はホルダー２の翼状脚２３ａ、２３ｂ：２４ａ、２４ｂとなり、開口Ｇはホルダー２の開口２５になり、素材の一部ＨおよびＪはホルダー２の帯状片２５ａ、２５ｂ、２６ｂとなる。切込み片Ｃ、Ｄの切込み端位置を変えることによりホルダー２における翼状脚２３ａ、２３ｂ、２４ａ、２４ｂの高さ位置が変わるので、回路基板３に対する振動モータ本体の取り付け位置の調整に利用できる。開口２５は曲げ加工の調整用に設けてあるが、なくてもよい。
【００１８】
次に図１を参照して本発明による振動モータの回路基板への実装手順を説明する。
【００１９】
組み立てられた振動モータ本体１を図４に示したようなホルダー２の一方の端部（図４では奥側の端部）側から振動モータ本体１の回転軸側端部が垂片２１と起立片２２に当接するまでホルダー２内に差込み、行き止まったところでホルダー２の全体をかしめ機（図示せず）でかしめ、手前側端部から突き出た回転軸１１に偏心錘１０をかしめて取り付ける。かしめの結果ホルダー２の側縁部ＡとＢは密接しホルダーは弾性挟持片として作用して振動モータ本体１とホルダー２が一体に固定されて振動モータユニットとなる。この場合ホルダー内の全面または一部に接着剤を塗布してホルダーと振動モータ本体との固定を強化してもよい。
【００２０】
またホルダー２は加工直後は上側縁部Ａと下側縁部Ｂとがわずかな間隙だけ離間するように形成しておき、振動モータ本体１を入れてホルダー２をかしめたとき両側縁部ＡとＢが密接するようにしてもよい。こうすればホルダー２による振動モータ本体１の保持をさらに確実にし、ホルダー２の保持強度をさらに高めることができる。
【００２１】
一方、予め回路配線がプリントされた回路基板３の所定の位置に形成された切り欠き空部３１の側縁の所定位置にクリーム半田層３ａ、３ｂ、３ｃ、３ｄを塗布したものが用意される。
【００２２】
上のように用意した振動モータユニットを回転軸が回路基板と平行になるような状態で回路基板３の切り欠き空部３１に落とし込むようにして回路基板３に固定するのであるが、その際ホルダー２の翼状脚２３ａ、２３ｂが半田層３ａ上に乗り、翼状脚２４ａ、２４ｂが半田層３ｃ上に乗り、振動モータ本体１端部の外付け端子１３の水平脚１３ａがクリーム半田層３ｂ、３ｄ上に乗るように振動モータユニットを回路基板３に対して位置決めする。
【００２３】
振動モータユニットは翼状脚２３ａ、２３ｂ、２４ａ、２４ｂにより回路基板３上に支えられた状態で、回路基板３とともにリフロー槽（不図示）内にゆっくり移送され、段階的に温度を高めて加熱される。この加熱によりクリーム半田層は融解し、リフロー槽を出た振動モータユニットは回路基板３に固定される。
【００２４】
こうして偏心錘のついた振動モータは回路基板３に実装される。
【００２５】
図５は偏心錘を２つ備えた本発明による振動モータの実装状態を示す。
【００２６】
この実施形態においても、振動モータ本体１とホルダー２との関係は図２に示した偏心錘が１つの実施形態と同じであるので説明は省略する。図２と同じ構成部分については同じ参照番号を用いて示した。本実施形態においては、２つの偏心錘を１０ａ、１０ｂで示している。
【００２７】
２つの偏心錘を有する振動モータは小型で高振動が実現できるので、実装基板の厚みを薄くすることができ、通信機器の薄型化に貢献する。
【００２８】
上記実施形態では振動モータ本体の外側モータフレームとして円筒形状のものを例示したが、角柱状であっても構わない。またホルダー素材のプレス加工の仕方次第でホルダーに形成される翼状脚２３ａ、２３ｂ、２４ａ、２４ｂの数や帯状片２５ａ、２５ｂ、２６ａの数を任意に変えることができる。
【図面の簡単な説明】
【００２９】
【図１】本発明による保持構造を用いて振動モータを回路基板へ実装する様子を説明する斜視図である。
【図２】本発明の一実施形態による振動モータの回路基板への実装状態を示す。
【図３】本発明によるホルダー素材の平面図である。
【図４】本発明によるホルダーの一例の斜視図である。
【図５】本発明の他の実施形態による振動モータの回路基板への実装状態を示す。
【符号の説明】
【００３０】
１  振動モータ本体
１０  、１０ａ、１０ｂ  偏心錘
１１  回転軸
２  ホルダー
２３ａ、２３ｂ、２４ａ、２４ｂ  翼状脚
３  回路基板
３１  切り欠き空部
３ａ、３ｂ、３ｃ、３ｄ  クリーム半田層
【図１】
2008283758.tif 000003
【図２】
2008283758.tif 000004
【図３】
2008283758.tif 000005
【図４】
2008283758.tif 000006
【図５】
2008283758.tif 000007